(57)【特許請求の範囲】
【請求項１】
耐候性高分子材料からなる円筒部を有する高分子支持具を備え、この高分子支持具には、その円筒部の長さ方向の略中央部に、リング状で表面形状がストレスコーン構造とされた半導電層が設けられ、
前記円筒部の外周表面であって前記半導電層が設けられている部分以外に沿面距離を増大させる複数のひだが形成されており、
支持対象の架空絶縁電線が前記高分子支持具の円筒部の中心の挿通穴に挿通されると共に、前記半導電層を介して円筒部が電柱の腕金に直接固定されることを特徴とする架空絶縁電線の支持構造。
【発明の詳細な説明】
【０００１】
【発明の属する技術分野】
本発明は、架空絶縁電線の支持構造に関する。
【０００２】
【従来の技術】
図３に示すように、架空絶縁電線１の支持には従来碍子２が用いられている。この碍子２は、架空絶縁電線１を電柱３上に固定された腕金４に対して一定距離離間した状態で支持するもの、すなわち架空絶縁電線１と腕金４とを空間的に離間させることによって架空絶縁電線１を絶縁状態に支持するものである。
【０００３】
【発明が解決しようとする課題】
しかしながら、このような碍子２は、上述したように架空絶縁電線１と腕金４とを空間的に離間させることにより架空絶縁電線１を腕金４に対して絶縁状態に支持するため、架空絶縁電線１を腕金４に近接配置させることができない。また、碍子２は、セラミックス製であり、重量が大であるために取り扱い難く、また加工性が悪いという問題点を有する。
【０００４】
本発明は、上述する問題点に鑑みてなされたもので、架空絶縁電線を支持体に対して近接させて絶縁支持すると共に、取扱性及び加工性に優れた架空絶縁電線の支持構造を提供することを目的とするものである。
【０００５】
【課題を解決するための手段】
上記目的を達成するための請求項１に係る発明は、耐候性高分子材料からなる円筒部を有する高分子支持具を備え、この高分子支持具には、その円筒部の長さ方向の略中央部に、リング状で表面形状がストレスコーン構造とされた半導電層が設けられ、
前記円筒部の外周表面であって前記半導電層が設けられている部分以外に沿面距離を増大させる複数のひだが形成されており、
支持対象の架空絶縁電線が前記高分子支持具の円筒部の中心の挿通穴に挿通されると共に、前記半導電層を介して円筒部が電柱の腕金に直接固定されることを特徴とする架空絶縁電線の支持構造である。
【０００８】
【発明の実施の形態】
以下、図面を参照して、本発明に係わる架空絶縁電線の支持構造の一実施形態について説明する。なお、以下の説明では、既に説明した構成要素については同一符号を付して、その説明を省略する。
【０００９】
図１は、本実施形態における電線の支持構造を示す斜視図、また図２は図１の支持構造における縦断面図である。これらの図に示すように、本実施形態では、従来用いていた碍子２に代えて、耐候性高分子材料からなる高分子支持具１０を用いて架空絶縁電線１を電柱３上の腕金４（支持体）に支持する。上記高分子支持具１０を形成する耐候性高分子材料は、例えばシリコンゴムあるいはポリエチレン等である。
【００１０】
上記高分子支持具１０は、所定長を有した円筒部１０ａを有し、その中心部に挿通穴１０ｂが形成されているものである。上記円筒部１０ａの中心の挿通穴１０ｂには架空絶縁電線１が挿通され、また円筒部１０ａの長さ方向の中心部が腕金４に固定される。なお、上記架空絶縁電線１は、導体１ａを絶縁層１ｂによって被覆した配電線である。
【００１１】
上記高分子支持具１０は、架空絶縁電線１の表面を円筒部１０ａの長さに亘って覆った状態、かつ円筒部１０ａが腕金４に対して略直交した姿勢で架空絶縁電線１を腕金４に支持する。また、円筒部１０ａの長さ方向の中心部が腕金４に固定されているので、円筒部１０ａの各端部１０ｅ，１０ｆは、腕金４に対してほぼ同等の距離に位置する。
【００１２】
なお、円筒部１０ａの中心の挿通穴１０ｂの表面と架空絶縁電線１との表面とは、円筒部１０ａを例えば熱収縮させることにより密着状態とされており、挿通穴１０ｂと架空絶縁電線１との間に雨水等が侵入することはない。
【００１３】
また、図２に示すように、上記円筒部１０ａの長さ方向の中心部にはリング状の半導電層１０ｃ（電界緩和部材）が備えられており、円筒部１０ａは、この半導電層１０ｃを介して腕金４に固定されている。上記半導電層１０ｃの表面形状は、ストレスコーン構造を有しており、腕金４周辺の電界を効果的に緩和するように形成されている。
【００１４】
さらに、円筒部１０ａの表面の半導電層１０ｃを中心とした長さ方向の両側には、複数のひだ１０ｄが所定間隔かつ所定高さで設けられている。このひだ１０ｄは、円筒部１０ａの表面の沿面距離を増大させるためのものであり、トラッキング現象に起因する絶縁破壊を予防するためのものである。このようなひだ１０ｄは、図示するように、耐候性高分子材料によって円筒部１０ａと一体的に形成されている。
【００１５】
次に、本実施形態の作用について説明する。
上記構成の架空絶縁電線の支持構造は、接地された腕金４に対して電位差を有する架空絶縁電線１を絶縁体である円筒部１０ａに挿入して密着状に覆うと共に該円筒部１０ａの長さ方向の中心部において腕金４に固定するので、架空絶縁電線１と腕金４とを近接させた状態で絶縁性能を確保することができる。
【００１６】
すなわち、本実施形態では、架空絶縁電線１の表面を所定長の円筒部１０ａによってさらに密着被覆することにより、従来の碍子２のように架空絶縁電線１と腕金４との空間距離を取ることなく、腕金４と架空絶縁電線１との間の耐絶縁性を確保することができる。
【００１７】
また、円筒部１０ａと腕金４との間にストレスコーン構造を有する半導電層１０ｃを設けるので、腕金４周辺における電界の集中が抑制され、よってこの半導電層１０ｃによっても腕金４と架空絶縁電線１との間の耐絶縁性を向上させることができる。
【００１８】
さらに、円筒部１０ａの表面に複数のひだ１０ｄを設ける、すなわち従来の碍子２のように上下方向にではなく、架空絶縁電線１の長手方向に沿って沿面距離を増大させることにより、耐トラッキング性を向上させている。しかも、円筒部１０ａを長くすることによりひだ１０ｄの数を容易に増大させることができるので、架空絶縁電線１と腕金４との距離を増大させることなく、耐トラッキング性の向上を図ることができる。
【００１９】
なお、本発明は、上記実施形態に限定されるものではなく、例えば以下のような変形が考えられる。
上記実施形態では、円筒部１０ａの中心の挿通穴１０ｂに架空絶縁電線１を挿通するようにして高分子支持具１０を架空絶縁電線１に装着するようにしたが、高分子支持具１０を中心軸線に沿って分割した２体構造とし、該２体によって架空絶縁電線１を挟み込むようにして挿通穴１０ｂに架空絶縁電線１を挿通状態とさせても良い。
【００２０】
【発明の効果】
以上説明したように、請求項１記載の発明によれば、架空絶縁電線を電柱の腕金に近接させた状態で、すなわち架空絶縁電線を腕金との空間距離を大きく取ることなく絶縁性を確保した状態で支持することができる。また、上記円筒部が耐候性高分子材料から形成されているので、従来の碍子に比べて軽量であり取扱性に優れていると共に、加工性にも優れている。
【００２１】
また、円筒部の長さ方向の略中央部にストレスコーン構造の半導電層が設けられ、これを介して円筒部を腕金に固定されているので、腕金周辺の電界の集中を抑制することができ、架空絶縁電線と腕金との間の耐絶縁性をより向上させることができる。
【００２２】
さらに、円筒部の表面に沿面距離を増大させるひだが設けられているので、架空絶縁電線と腕金との空間距離を増大させることなく、耐トラッキング性を向上させることができる。
【図面の簡単な説明】
【図１】  本発明の一実施形態に係わる架空絶縁電線の支持構造を示す斜視図である。
【図２】  図１の架空絶縁電線の支持構造における縦断面図である。
【図３】  従来の架空絶縁電線の支持構造を示す斜視図である。
【符号の説明】
１……架空絶縁電線、２……碍子、３……電柱、４……腕金（支持体）、１０……高分子支持具、１０ａ……円筒部、１０ｂ……挿通穴、１０ｃ……半導電層（電界緩和部材）、１０ｄ……ひだ
【図１】
0004278876.tif 000002
【図２】
0004278876.tif 000003
【図３】
0004278876.tif 000004